(57)【要約】      （修正有）【課題】地震による振動や余震が断続的に起こり、振幅が大きくなったときにも減震ユニットの一部が脱落せず、筺体が倒壊しないように構成した筺体倒壊防止減震装置を提供する。【解決手段】筺体１を載置する揺動プレート２又は床面固定プレート３に基部を固定された支持ポール６の屈曲先端部６２の内側又は天井や壁面にフック６３、６４が固定され、該フックより延長される懸張ロープ７が、筺体上面の１カ所又は複数個所のフックと連結された構成であって、又は、支持ポールの屈曲先端部の内側にプーリーが固定され、該プーリーを介して延長される懸張ロープが、筺体上面の１カ所又は複数個所のフックと連結された構成であって、縣張ロープによって筺体が保持され、筺体の倒壊を防止する。【選択図】図１
0003174106.tif 000002
【実用新案登録請求の範囲】
【請求項１】
筺体を載置する揺動プレート又は床面固定プレートに基部を固定された支持ポールの屈曲先端部の内側又は天井や壁面にフックが固定され、該フックより延長される懸張ロープが、筺体上面の１カ所又は複数個所のフックと連結された構成であって、又は、支持ポールの屈曲先端部の内側にプーリーが固定され、該プーリーを介して延長される懸張ロープが、筺体上面の１カ所又は複数個所のフックと連結された構成であって、
縣張ロープによって筺体が保持され、筺体の倒壊を防止する筺体倒壊防止減震装置。
【請求項２】
複数の筺体を個々に隣接して載置する揺動プレート又は床面固定プレートを相互に連結可能に構成したことを特徴とする請求項１記載の筺体倒壊防止減震装置。
【請求項３】
上側受皿部材と下側受皿部材間に転動体を介在させた減震ユニットが、筺体を載置する揺動プレートと床面固定プレートとの間の複数個所に介在させた構成としたことを特徴とする請求項１記載の筺体倒壊防止減震装置。
【請求項４】
懸張ロープが、低反発ゴム、織状繊維被覆ゴム、または牽引用ロープ等からなることを特徴とする請求項１記載の筺体倒壊防止減震装置。
【考案の詳細な説明】
【技術分野】
【０００１】  本考案は、筺体倒壊防止減震装置に関し、特に地震による振動が断続的に起こり、振幅が大きくなり、筺体の揺れが大きくなっても筺体が倒壊しないように構成した筺体倒壊防止減震装置に関するものである。
【背景技術】
【０００２】  従来、種々の免震装置が開発されているが、その殆どが建築物や床上の電子機器に対して、免震効果を有するバネやゴムの反発効果や下端部の滑動方式及び球体の転動方式のものが多く存在する。例えば、特開２００７−２４１２３号や特許第３０５８３６４号等が開発されている。
【先行技術文献】
【０００３】
【特許文献１】  特開平２００７−２４１２３号公報
【０００４】
【特許文献２】  特許第３０５８３６４号公報  前記せる特開平２００７−２４１２３号は、免震用基盤上に球体を回転自在にとせる構造であり、また、前記せる特許３０５８３６４号は、電子機器の筐体底部にボルトを螺合させて脚体とし、その先端を曲面とし、凹面状受け皿上で滑動させるものであった。
【０００５】  しかしながら、振幅の滑動範囲が限られており大きな振幅時に対応することができなくなり、筺体が倒壊する危険があった。
【０００６】  また、前記せる特許３０５８３６４号は、電子機器の筐体底部にボルトを螺合させて脚体としたものであるから、脚体のフレキシビリティが無く、破損し易いものであった。
【考案の概要】
【考案が解決しようとする課題】
【０００７】  本考案の課題は、地震による振動や余震が断続的に起こり、振幅が大きくなったときにも筺体が倒壊せず徐徐に減震する筺体倒壊防止減震装置を提供することである。
【課題を解決するための手段】
【０００８】本考案によれば、筺体を載置する揺動プレート又は床面固定プレートに基部を固定された支持ポールの屈曲先端部の内側又は天井や壁面にフックが固定され、該フックより延長される懸張ロープが、筺体上面の１カ所又は複数個所のフックと連結された構成であって、又は、支持ポールの屈曲先端部の内側にプーリーが固定され、該プーリーを介して延長される懸張ロープが、筺体上面の１カ所又は複数個所のフックと連結された構成であって、縣張ロープによって筺体が保持され、筺体の倒壊を防止する特徴を有し、複数の筺体を個々に隣接して載置する揺動プレート又は床面固定プレートを相互に連結可能に構成したことを特徴とし、上側受皿部材と下側受皿部材間に転動体を介在させた減震ユニットが、筺体を載置する揺動プレートと床面固定プレートとの間の複数個所に介在させた構成としたことを特徴とし、且つ、懸張ロープが、低反発ゴム、織状繊維被覆ゴム、または牽引用ロープ等からなることを特徴とする筺体倒壊防止減震装置である。
【考案の効果】
【０００９】  本考案の筺体倒壊防止減震装置は、地震による振動や余震が断続的に起こり、振幅が大きくなったときでも筺体が上部で支持されているので、筺体が倒壊することはなく、筺体下部に配置される減震ユニットも脱落せずに対応することができる。【００１０】  また、懸張ロープが、低反発ゴム、織状繊維被覆ゴム、または牽引用ロープ等からなるので、急激な震動に対して即座に急反発力を生じさせることなく、震動発生時の筺体への振動伝達が緩衝的に行われる結果となる。
【図面の簡単な説明】
【００１１】
【図１】  本考案の筺体倒壊防止減震装置の第１実施例を示す側面図である。
【図２】  図１の正面図である。
【図３】  図１の背面図である。
【図４】  図１の平面図である。
【図５】  本考案の筺体倒壊防止減震装置の第２実施例を示す側面図である。
【図６】  図５の正面図である。
【図７】  図５の背面図である。
【図８】  図５の平面図である。
【図９】  本考案の筺体倒壊防止減震装置の第３実施例を示す側面図である。
【図１０】  図９の正面図である。
【図１１】  図９の背面図である。
【図１２】  図９の平面図である。
【図１３】  本考案の筺体倒壊防止減震装置の第４実施例を示す側面図である。
【図１４】  図１３の背面図である。
【図１５】  図１３の正面図である。
【図１６】  図１３の平面図である。
【図１７】  本考案の筺体倒壊防止減震装置の第５実施例を示す側面図である。
【図１８】  図１７の正面図である。
【図１９】  図１７の背面図である
【図２０】  図１７の平面図である。
【図２１】  本考案の筺体倒壊防止減震装置の第６実施例を示す側面図である。
【図２２】  図２１の正面図である。
【図２３】  図２１の背面図である。
【図２４】  図２１の平面図である。
【図２５】  本考案の筺体倒壊防止減震装置の第７実施例を示す側面図である。
【図２６】  図２５の正面図である。
【図２７】  図２５の背面図である。
【図２８】  図２５の平面図である。
【図２９】  本考案の筺体倒壊防止減震装置の第８実施例を示す側面図である。
【図３０】  図２９の正面図である。
【図３１】  図２９の背面図である。
【図３２】  図２９の平面図である。
【考案を実施するための形態】
【００１２】  以下、図面に基づき考案を実施するための形態を具体的に説明する。
【００１３】  以下、図１乃至図４に基づき本考案の第１実施例について説明する。
【００１４】  筺体１を載置する揺動プレート２に支持ポール６の基部６１が固定されており、支持ポール６の屈曲先端部６２の内側にフック６３が固定され、該フック６３より延長される懸張ロープ７が、筺体１上面のフック６４と連結されている。
【００１５】  上側受皿部材４１と下側受皿部材４２間には転動体５を介在させた減震ユニット４が、筺体１を載置する揺動プレート２と床面固定プレート３との間の複数個所に配置されている。
【００１６】  複数の筺体１を個々に隣接して載置する揺動プレート２は相互に連結可能であり、連結状態では一体的に揺動すると共に、揺動プレート２に基部６１を固定した支持ポール６も同様に揺動しながら懸張ロープ７にて筺体１を倒壊しないように保持している。
【００１７】  次いで、図５乃至図８に基づき本考案の第２実施例について説明する。
【００１８】  筺体１を載置する揺動プレート２に支持ポール６の基部６１が固定されており、支持ポール６の屈曲先端部６２の内側にフック６３が固定され、該フック６３より延長される複数の懸張ロープ７が、筺体１上面の複数のフック６４と連結されている。
【００１９】  第２実施例では、筺体１上面のフック６４が３カ所に設けられており、揺れの方向に応じて安定して懸張されるものである。
【００２０】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様である。
【００２１】  複数の筺体１を個々に隣接して載置する揺動プレート２は相互に連結可能であり、連結状態では一体的に揺動すると共に、揺動プレート２に基部６１を固定した支持ポール６も同様に揺動しながら懸張ロープ７にて筺体１を倒壊しないように保持していることは、第１実施例の場合と同様である。
【００２２】  次いで、図９乃至図１２に基づき本考案の第３実施例について説明する。
【００２３】  第３実施例においては、  床面固定プレート３に支持ポール６の基部６１が固定されており、支持ポール６の屈曲先端部６２の内側にフック６３が固定され、該フック６３より懸張ロープ７が、筺体１上面のフック６４と連結されている。
【００２４】  第３実施例では、揺動プレート２と筺体１とが一体的に揺動しても、床面固定プレート３と支持ポール６とは揺動することはなく、懸張ロープ７にて筺体１を倒壊しないように保持している。
【００２５】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様であり、複数の筺体１を個々に隣接して載置する揺動プレート２は相互に連結可能である。
【００２６】    次いで、図１３乃至図１６に基づき本考案の第４実施例について説明する。
【００２７】  第４実施例においては、床面固定プレート３に支持ポール６の基部６１が固定されており、支持ポール６の屈曲先端部６２の内側にフック６３が固定され、該フック６３より複数の懸張ロープ７が、筺体１上面の複数のフック６４と連結されている。
【００２８】  第４実施例においても、揺動プレート２と筺体１とが一体的に揺動しても、床面固定プレート３と支持ポール６とは揺動することはなく、複数の懸張ロープ７にて筺体１を倒壊しないように保持している。
【００２９】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様であり、複数の筺体１を個々に隣接して載置する揺動プレート２は相互に連結可能である。
【００３０】    次いで、図１７乃至図２０に基づき本考案の第５実施例について説明する。
【００３１】  筺体１を載置する揺動プレート２に支持ポール６の基部６１が固定されており、支持ポール６の屈曲先端部６２の内側に回転自在のプーリー７１が設けられ、該プーリー７１より延長される懸張ロープ７が、筺体１上面のフック６４と連結されている。
【００３２】  懸張ロープ７の他端はプーリー７１を介して錘９に連結されており、錘９の荷重が懸張ロープ７に付勢されている。
【００３３】  したがって震動に伴う筺体１の揺れによって懸張ロープ７が伸縮して対応するようになっているので、筺体１が破損したり倒壊したりすることがない。
【００３４】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様である。
【００３５】  複数の筺体１を個々に隣接して載置する揺動プレート２は相互に連結可能であり、連結状態では一体的に揺動すると共に、揺動プレート２に基部６１を固定した支持ポール６も同様に揺動しながら懸張ロープ７にて筺体１を倒壊しないように保持していることは、第１実施例の場合と同様である。
【００３６】  次いで、図２１乃至図２４に基づき本考案の第６実施例について説明する。
【００３７】  筺体１を載置する揺動プレート２に支持ポール６の基部６１が固定されており、支持ポール６の屈曲先端部６２の内側に回転自在のプーリー７１が設けられ、該プーリー７１より延長される懸張ロープ７が、筺体１上面の複数のフック６４と連結されている。
【００３８】  懸張ロープ７の他端はプーリー７１を介して錘９に連結されており、錘９の荷重が懸張ロープ７に付勢されている。
【００３９】  したがって震動に伴う筺体１の揺れによって懸張ロープ７が伸縮して対応するようになっているので、筺体１が破損したり倒壊したりすることがない。
【００４０】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様である。
【００４１】  複数の筺体１を個々に隣接して載置する揺動プレート２は相互に連結可能であり、連結状態では一体的に揺動すると共に、揺動プレート２に基部６１を固定した支持ポール６も同様に揺動しながら懸張ロープ７にて筺体１を倒壊しないように保持していることは、第１実施例の場合と同様である。
【００４２】    次いで、図２５乃至図２８に基づき本考案の第７実施例について説明する。
【００４３】  床面固定プレート３に支持ポール６の基部６１が固定されており、支持ポール６の屈曲先端部６２の内側に回転自在のプーリー７１が設けられ、該プーリー７１より延長される懸張ロープ７が、筺体１上面のフック６４と連結されている。
【００４４】  懸張ロープ７の他端はプーリー７１を介して鍾９に連結されており、錘９の荷重が懸張ロープ７に付勢されている。
【００４５】  したがって震動に伴う筺体１の揺れによって懸張ロープ７が伸縮して対応するようになっているので、筺体１が破損したり倒壊したりすることがない。
【００４６】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様である。
【００４１】  複数の筺体１を個々に隣接して載置する揺動プレート２は相互に連結可能であり、連結状態では一体的に揺動すると共に、床面固定プレート３に基部６１を固定した支持ポール６はは揺動せずに懸張ロープ７にて筺体１を倒壊しないように保持していることは、第３実施例の場合と同様である。
【００４２】    次いで、図２９乃至図３２に基づき本考案の第８実施例について説明する。
【００４３】  床面固定プレート３に支持ポール６の基部６１が固定されており、支持ポール６の屈曲先端部６２の内側に回転自在のプーリー７１が設けられ、該プーリー７１より延長される懸張ロープ７が、筺体１上面の複数のフック６４と連結されている。
【００４４】  懸張ロープ７の他端はプーリー７１を介して錘９に連結されており、錘９の荷重が懸張ロープ７に付勢されている。
【００４５】  したがって震動に伴う筺体１の揺れによって懸張ロープ７が伸縮して対応するようになっているので、筺体１が破損したり倒壊したりすることがない。
【００４６】  上側受皿部材４１と下側受皿部材４２間には転動体５を介在させた減震ユニット４が、筺体１を載置する揺動プレート２と床面固定プレート３との間の複数個所に配置されていることは第３実施例の場合と同様である。
【００４７】  以上の第１実施例乃至第８実施例においては、懸張ロープ７が支持ポール６の屈曲先端部から懸張される例を示してあるが、実施現場において、天井や壁から懸張ロープを懸張ロープすることは本考案の技術内容に属するものである。
【符号の説明】
【００４８】  １    筺体
２    揺動プレート
３    床面固定プレート
４    減震ユニット
４１    上側受皿部材
４２    下側受皿部材
５    転動体
６    支持ポール
６１    基部
６２    屈曲先端部
６３    フック
６４    フック
７    懸張ロープ
７１    プーリー
８    床面
９    錘
【図１】
0003174106.tif 000003
【図２】
0003174106.tif 000004
【図３】
0003174106.tif 000005
【図４】
0003174106.tif 000006
【図５】
0003174106.tif 000007
【図６】
0003174106.tif 000008
【図７】
0003174106.tif 000009
【図８】
0003174106.tif 000010
【図９】
0003174106.tif 000011
【図１０】
0003174106.tif 000012
【図１１】
0003174106.tif 000013
【図１２】
0003174106.tif 000014
【図１３】
0003174106.tif 000015
【図１４】
0003174106.tif 000016
【図１５】
0003174106.tif 000017
【図１６】
0003174106.tif 000018
【図１７】
0003174106.tif 000019
【図１８】
0003174106.tif 000020
【図１９】
0003174106.tif 000021
【図２０】
0003174106.tif 000022
【図２１】
0003174106.tif 000023
【図２２】
0003174106.tif 000024
【図２３】
0003174106.tif 000025
【図２４】
0003174106.tif 000026
【図２５】
0003174106.tif 000027
【図２６】
0003174106.tif 000028
【図２７】
0003174106.tif 000029
【図２８】
0003174106.tif 000030
【図２９】
0003174106.tif 000031
【図３０】
0003174106.tif 000032
【図３１】
0003174106.tif 000033
【図３２】
0003174106.tif 000034
【手続補正書】
【提出日】平成23年12月7日(2011.12.7)
【手続補正１】
【補正対象書類名】実用新案登録請求の範囲
【補正対象項目名】全文
【補正方法】変更
【補正の内容】
【実用新案登録請求の範囲】
【請求項１】
揺動プレートに筺体が載置されており、地震により揺動する該揺動プレートに基部を固定された支持ポールの屈曲先端部にフックが固定され、該フックより延長される懸張ロープが、筺体上面の１カ所又は複数個所のフックと連結され、懸張ロープによって筺体が上部で懸張され、且つ、上側受皿部材と下側受皿部材間に転動体を介在させた減震ユニットを、筺体を載置する揺動プレートと床面固定プレートとの間の複数個所に取付けたことを特徴とする筺体の倒壊を防止する筺体倒壊防止減震装置。
【請求項２】
複数の筺体を個々に隣接して載置する揺動プレートを相互に連結可能に構成したことを特徴とする請求項１記載の筺体倒壊防止減震装置。
【請求項３】
筺体の上部は懸張ロープによって上方に懸張され、筺体を載置する揺動プレートと床面固定プレートとの間の複数個所に、上側受皿部材と下側受皿部材間に転動体を介在させた減震ユニットを介在させたことを特徴とする請求項１記載の筺体倒壊防止減震装置。
【請求項４】
懸張ロープが、低反発ゴム、織状繊維被覆ゴム、または牽引用ロープからなることを特徴とする請求項１記載の筺体倒壊防止減震装置。
【手続補正２】
【補正対象書類名】明細書
【補正対象項目名】全文
【補正方法】変更
【補正の内容】
【考案の詳細な説明】
【技術分野】
【０００１】  本考案は、筺体倒壊防止減震装置に関し、特に地震による振動が断続的に起こり、振幅が大きくなり、筺体の揺れが大きくなっても筺体が倒壊しないように構成した筺体倒壊防止減震装置に関するものである。
【背景技術】
【０００２】  従来、種々の免震装置が開発されているが、その殆どが建築物や床上の電子機器に対して、免震効果を有するバネやゴムの反発効果や下端部の滑動方式及び球体の転動方式のものが多く存在する。例えば、特開２００７−２４１２３号や特許第３０５８３６４号等が開発されている。
【先行技術文献】
【０００３】
【特許文献１】  特開平２００７−２４１２３号公報
【０００４】
【特許文献２】  特許第３０５８３６４号公報  前記せる特開平２００７−２４１２３号は、免震用基盤上に球体を回転自在にせる構造であり、また、前記せる特許３０５８３６４号は、電子機器の筐体底部にボルトを螺合させて脚体とし、その先端を曲面とし、凹面状受け皿上で滑動させるものであった。
【０００５】  しかしながら、振幅の滑動範囲が限られており大きな振幅時に対応することができなくなり、筺体が倒壊する危険があった。
【０００６】  また、前記せる特許３０５８３６４号は、電子機器の筐体底部にボルトを螺合させて脚体としたものであるから、脚体のフレキシビリティが無く、破損し易いものであった。
【考案の概要】
【考案が解決しようとする課題】
【０００７】  本考案の課題は、地震による振動や余震が断続的に起こり、振幅が大きくなったときにも筺体が倒壊せず徐徐に減震する筺体倒壊防止減震装置を提供することである。
【課題を解決するための手段】
【０００８】本考案によれば、筺体を載置し、地震によって揺動する揺動プレートに基部を固定された支持ポールの屈曲先端部にフックが固定され、該フックより延長される懸張ロープが、筺体上面の１カ所又は複数個所のフックと連結され、懸張ロープによって筺体が上部で懸張され、筺体の倒壊を防止することを特徴とし、複数の筺体を個々に隣接して載置する揺動プレートを相互に連結可能に構成したことを特徴とし、上側受皿部材と下側受皿部材間に転動体を介在させた減震ユニットを、筺体を載置する揺動プレートと床面固定プレートとの間の複数個所に介在させたことを特徴とし、且つ、懸張ロープが、低反発ゴム、織状繊維被覆ゴム、または牽引用ロープからなることを特徴とする筺体倒壊防止減震装置を提供する。
【考案の効果】
【０００９】  本考案の筺体倒壊防止減震装置は、地震による振動や余震が断続的に起こり、振幅が大きくなったときでも筺体が上部で懸張されているので、筺体が倒壊することはなく、筺体下部に配置される減震ユニットも脱落せずに対応することができる。【００１０】  また、懸張ロープが、低反発ゴム、織状繊維被覆ゴム、または牽引用ロープからなるので、急激な震動に対して即座に急反発力を生じさせることなく、震動発生時の筺体への振動伝達が緩衝的に行われる結果となる。
【図面の簡単な説明】
【００１１】
【図１】本考案の筺体倒壊防止減震装置の第１実施例を示す略示側面図である。
【図２】図１の正面図である。
【図３】図１の背面図である。
【図４】図１の平面図である。
【図５】本考案の筺体倒壊防止減震装置の第２実施例を示す略示側面図である。
【図６】図５の正面図である。
【図７】図５の背面図である。
【図８】図５の平面図である。
【図９】本考案の筺体倒壊防止減震装置の第３実施例を示す略示側面図である。
【図１０】図９の正面図である。
【図１１】図９の背面図である。
【図１２】図９の平面図である。
【図１３】本考案の筺体倒壊防止減震装置の第４実施例を示す略示側面図である。
【図１４】図１３の背面図である。
【図１５】図１３の正面図である。
【図１６】図１３の平面図である。
【図１７】本考案の筺体倒壊防止減震装置の第５実施例を示す略示側面図である。
【図１８】図１７の正面図である。
【図１９】図１７の背面図である
【図２０】図１７の平面図である。
【図２１】本考案の筺体倒壊防止減震装置の第６実施例を示す略示側面図である。
【図２２】図２１の正面図である。
【図２３】図２１の背面図である。
【図２４】図２１の平面図である。
【図２５】本考案の筺体倒壊防止減震装置の第７実施例を示す略示側面図である。
【図２６】図２５の正面図である。
【図２７】図２５の背面図である。
【図２８】図２５の平面図である。
【図２９】本考案の筺体倒壊防止減震装置の第８実施例を示す略示側面図である。
【図３０】図２９の正面図である。
【図３１】図２９の背面図である。
【図３２】図２９の平面図である。
【考案を実施するための形態】
【００１２】  以下、図面に基づき考案を実施するための形態を具体的に説明する。
【００１３】  以下、図１乃至図４に基づき本考案の第１実施例について説明する。
【００１４】筺体１を載置し、地震によって揺動する揺動プレート２に支持ポール６の基部６１が固定されており、支持ポール６の屈曲先端部６２の内側にフック６３が固定され、該フック６３より延長される懸張ロープ７が、筺体１上面のフック６４と連結されている。
したがって筺体１は常に懸張ロープ７によってフック６３から懸張されている。
【００１５】  上側受皿部材４１と下側受皿部材４２間には転動体５を介在させた減震ユニット４が、筺体１を載置する揺動プレート２と床面固定プレート３との間の複数個所に配置されている。
【００１６】  複数の筺体１を個々に隣接して載置する揺動プレート２は相互に連結可能であり、連結状態では一体的に揺動すると共に、揺動プレート２に基部６１を固定した支持ポール６も同様に揺動しながら懸張ロープ７にて筺体１を倒壊しないように懸張している。
【００１７】  次いで、図５乃至図８に基づき本考案の第２実施例について説明する。
【００１８】筺体１を載置し、地震によって揺動する揺動プレート２に支持ポール６の基部６１が固定されており、支持ポール６の屈曲先端部６２の内側にフック６３が固定され、該フック６３より延長される複数の懸張ロープ７が、筺体１上面の複数のフック６４と連結されている。
【００１９】  第２実施例では、筺体１上面のフック６４が３カ所に設けられており、揺れの方向に応じて安定して懸張されるものである。
【００２０】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様である。
【００２１】  複数の筺体１を個々に隣接して載置する揺動プレート２は相互に連結可能であり、連結状態では一体的に揺動すると共に、揺動プレート２に基部６１を固定した支持ポール６も同様に揺動しながら懸張ロープ７にて筺体１を倒壊しないように保持していることは、第１実施例の場合と同様である。
【００２２】  次いで、図９乃至図１２に基づき本考案の第３実施例について説明する。
【００２３】  第３実施例においては、  床面固定プレート３に支持ポール６の基部６１が固定されており、支持ポール６の屈曲先端部６２の内側にフック６３が固定され、該フック６３より懸張ロープ７が、筺体１上面のフック６４と連結されている。
【００２４】  第３実施例では、揺動プレート２と筺体１とが一体的に揺動しても、床面固定プレート３と支持ポール６とは揺動することはなく、懸張ロープ７にて筺体１を倒壊しないように保持している。
【００２５】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様であり、複数の筺体１を個々に隣接して載置する揺動プレート２は相互に連結可能である。
【００２６】    次いで、図１３乃至図１６に基づき本考案の第４実施例について説明する。
【００２７】  第４実施例においては、床面固定プレート３に支持ポール６の基部６１が固定されており、支持ポール６の屈曲先端部６２の内側にフック６３が固定され、該フック６３より複数の懸張ロープ７が、筺体１上面の複数のフック６４と連結されている。
【００２８】  第４実施例においても、揺動プレート２と筺体１とが一体的に揺動しても、床面固定プレート３と支持ポール６とは揺動することはなく、複数の懸張ロープ７にて筺体１を倒壊しないように保持している。
【００２９】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様であり、複数の筺体１を個々に隣接して載置する揺動プレート２は相互に連結可能である。
【００３０】    次いで、図１７乃至図２０に基づき本考案の第５実施例について説明する。
【００３１】筺体１を載置し、地震によって揺動する揺動プレート２に支持ポール６の基部６１が固定されており、支持ポール６の屈曲先端部６２の内側に回転自在のプーリー７１が設けられ、該プーリー７１より延長される懸張ロープ７が、筺体１上面のフック６４と連結されている。
【００３２】  懸張ロープ７の他端はプーリー７１を介して錘９に連結されており、錘９の荷重が懸張ロープ７に付勢されている。
【００３３】  したがって震動に伴う筺体１の揺れによって懸張ロープ７が伸縮して対応するようになっているので、筺体１が破損したり倒壊したりすることがない。
【００３４】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様である。
【００３５】  複数の筺体１を個々に隣接して載置する揺動プレート２は相互に連結可能であり、連結状態では一体的に揺動すると共に、揺動プレート２に基部６１を固定した支持ポール６も同様に揺動しながら懸張ロープ７にて筺体１を倒壊しないように保持していることは、第１実施例の場合と同様である。
【００３６】  次いで、図２１乃至図２４に基づき本考案の第６実施例について説明する。
【００３７】  筺体１を載置する揺動プレート２に支持ポール６の基部６１が固定されており、支持ポール６の屈曲先端部６２の内側に回転自在のプーリー７１が設けられ、該プーリー７１より延長される懸張ロープ７が、筺体１上面の複数のフック６４と連結されている。
【００３８】  懸張ロープ７の他端はプーリー７１を介して錘９に連結されており、錘９の荷重が懸張ロープ７に付勢されている。
【００３９】  したがって震動に伴う筺体１の揺れによって懸張ロープ７が伸縮して対応するようになっているので、筺体１が破損したり倒壊したりすることがない。
【００４０】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様である。
【００４１】  複数の筺体１を個々に隣接して載置する揺動プレート２は相互に連結可能であり、連結状態では一体的に揺動すると共に、揺動プレート２に基部６１を固定した支持ポール６も同様に揺動しながら懸張ロープ７にて筺体１を倒壊しないように保持していることは、第１実施例の場合と同様である。
【００４２】    次いで、図２５乃至図２８に基づき本考案の第７実施例について説明する。
【００４３】  床面固定プレート３に支持ポール６の基部６１が固定されており、支持ポール６の屈曲先端部６２の内側に回転自在のプーリー７１が設けられ、該プーリー７１より延長される懸張ロープ７が、筺体１上面のフック６４と連結されている。
【００４４】  懸張ロープ７の他端はプーリー７１を介して錘９に連結されており、錘９の荷重が懸張ロープ７に付勢されている。
【００４５】  したがって震動に伴う筺体１の揺れによって懸張ロープ７が伸縮して対応するようになっているので、筺体１が破損したり倒壊したりすることがない。
【００４６】  上側受皿部材４１と下側受皿部材４２間には転動体５を介在させた減震ユニット４が、筺体１を載置する揺動プレート２と床面固定プレート３との間の複数個所に配置されていることは第１実施例の場合と同様である。
【００４７】  複数の筺体１を個々に隣接して載置する揺動プレート２は相互に連結可能であり、連結状態では一体的に揺動すると共に、床面固定プレート３に基部６１を固定した支持ポール６は揺動せずに懸張ロープ７にて筺体１を倒壊しないように保持していることは、第３実施例の場合と同様である。
【００４８】    次いで、図２９乃至図３２に基づき本考案の第８実施例について説明する。
【００４９】  床面固定プレート３に支持ポール６の基部６１が固定されており、支持ポール６の屈曲先端部６２の内側に回転自在のプーリー７１が設けられ、該プーリー７１より延長される懸張ロープ７が、筺体１上面の複数のフック６４と連結されている。
【００５０】  懸張ロープ７の他端はプーリー７１を介して錘９に連結されており、錘９の荷重が懸張ロープ７に付勢されている。
【００５１】  したがって震動に伴う筺体１の揺れによって懸張ロープ７が伸縮して対応するようになっているので、筺体１が破損したり倒壊したりすることがない。
【００５２】  上側受皿部材４１と下側受皿部材４２間には転動体５を介在させた減震ユニット４が、筺体１を載置する揺動プレート２と床面固定プレート３との間の複数個所に配置されていることは第３実施例の場合と同様である。
【００５３】  以上の第１実施例乃至第８実施例においては、懸張ロープ７が支持ポール６の屈曲先端部から懸張される例を示してあるが、実施現場において、天井や壁から懸張ロープを懸張ロープすることは本考案の技術内容に属するものである。
【符号の説明】
【００５４】  １    筺体
２    揺動プレート
３    床面固定プレート
４    減震ユニット
４１    上側受皿部材
４２    下側受皿部材
５    転動体
６    支持ポール
６１    基部
６２    屈曲先端部
６３    フック
６４    フック
７    懸張ロープ
７１      プーリー
８    床面
９    錘